(57)【要約】    【課題】居室親機に必要とされる各種設定として、制御機による設定モードの相違をもとに、居室親機にて設定された情報および制御機にて設定された情報のうち何れか一方の情報を選択して記憶させる。    【解決手段】居室親機２ａ、２ｂ、・・・の通話手段２００、２０１にて入出力される通話音声を録音する録音機能の使用／未使用の切り替え、表示手段２０２に表示させる日本語／英語の切り替え等の各種設定である第１の居室情報が、居室設定手段２０３により設定され記憶手段２０６に予め記憶されていない場合にのみ、制御機５の制御機設定手段５００による各種設定であり、選択手段４より選択された第２の居室情報を有効として、記憶部に記憶させる。また、第１の居室情報が記憶手段２０６に予め記憶されているか否かに拘わらず、制御機の制御機強制設定手段５００による各種設定であり、選択手段より選択された第２の居室情報を有効として、記憶部に記憶させる。  【選択図】図１
2007202017.tif 000002
【特許請求の範囲】
【請求項１】
集合住宅のエントランスに設置される集合玄関機（１）と、前記集合住宅の各住戸内にそれぞれ設置され前記集合玄関機から呼び出されて通話を成立させるための居室親機（２ａ、２ｂ、・・・）と、前記集合玄関機および前記居室親機をそれぞれ制御するための制御機（５）とを設け、
前記居室親機は、前記集合玄関機からの呼び出しを表示するための表示手段（２０２、２０５）と、前記集合玄関機との間で通話を成立させるための通話音声を入出力する通話手段（２００、２０１、２０４）と、前記通話手段にて入出力される通話音声を録音する録音機能の使用／未使用の切り替え、前記表示手段に表示させる日本語／英語の切り替え等の各種設定を行うための居室設定手段（２０３）と、前記居室設定手段にて設定された第１の居室情報を記憶するための記憶手段（２０６）とを備え、
前記制御機は、前記居室親機の前記各種設定を行うための制御機設定手段（５００）を備え、
前記居室親機は、前記第１の居室情報が前記記憶手段に予め記憶されているか否かを判断し、前記第１の居室情報が前記記憶手段に予め記憶されている場合に前記制御機の制御機設定手段にて設定された第２の居室情報を無効として記憶せず、前記第１の居室情報が前記記憶手段に予め記憶されていない場合に前記制御機の制御機設定手段にて設定された第２の居室情報を前記記憶手段に記憶するための居室制御手段（２０７）を有することを特徴とする集合住宅インターホンシステム。
【請求項２】
前記制御機は、前記第１の居室情報が前記記憶手段に予め記憶されているか否かに拘わらず、前記第２の居室情報を前記記憶手段に強制的に記憶させるための制御機強制設定手段（５００）を有し、
前記居室親機は、前記制御機制御手段により送信されてくる前記第２の居室情報を受信したときには、前記記憶手段の記憶内容を前記受信された第２の居室情報に強制的に書き換えるための居室強制制御手段（２０７）を有することを特徴とする請求項１記載の集合住宅インターホンシステム。
【請求項３】
前記居室制御手段は、前記制御機強制設定手段により送信されてくる前記第２の居室情報が前記記憶手段に予め記憶されているか否かに拘わらず、前記記憶手段の記憶内容を前記居室設定手段にて設定された前記第１の居室情報に書き換えることを特徴とする請求項２記載の集合住宅インターホンシステム。
【請求項４】
前記制御機は、前記記憶手段に前記第２の居室情報を記憶させる前記居室親機を選択するための選択手段（４）に接続可能であることを特徴とする請求項１乃至請求項３のうち何れか１項記載の集合住宅インターホンシステム。
【発明の詳細な説明】
【技術分野】
【０００１】
本発明は、マンション等の集合住宅に設置される集合住宅インターホンシステムに係り、特に、居室親機に必要とされる各種設定の記憶手段／変更手段を当該居室親機および制御機にそれぞれ備えた集合住宅インターホンシステムに関する。
【背景技術】
【０００２】
従来から、この種の集合住宅インターホンシステムとして、各住戸における室内親機の機能設定の登録／変更を制御装置から遠隔にて行うことができる集合住宅用インターホンシステムが開示されている（例えば、特許文献１を参照。）。
【０００３】
この集合住宅用インターホンシステムによれば、制御装置に設けたデータ入力部から室内親機の機能設定情報を入力し、これにより制御装置から室内親機に対して機能設定情報を伝送し、機能設定情報の登録／変更を可能にしたから、室内親機登録／変更時には、住戸内に入ることなく、制御装置から遠隔にて設定作業を行うことができ、住人の在、不在に関わらず室内親機をメンテナンスすることができる。
【０００４】
また、室内親機に設けた住戸番号スイッチ部で自身の住戸番号を入力しておくことにより、制御装置から伝送される機能設定情報のうちから自身の住戸番号に一致する機能設定情報のみを選択できるから、制御装置から各室内親機に対して機能設定を順次行うことができ、室内親機の機能設定をスムーズに行うことができる。
【０００５】
さらに、室内親機の機能設定情報を制御装置のメモリに予め準備しておくことにより、各機能設定情報毎にデータ入力部から住戸番号を入力するだけで室内親機の機能設定が可能になり、設定等の施工時間を短縮することができるという効果を有する。
【０００６】
【特許文献１】特開平９−２３３２００号公報（段落番号「００１５」乃至「００３６」、第１図、第２図）
【発明の開示】
【発明が解決しようとする課題】
【０００７】
しかしながら、背景技術に記載した特許文献１の集合住宅用インターホンシステムによれば、室内親機にて機能設定が行われたにも拘わらず、制御機にて行われた機能設定の情報が一括で居室情報に送信された場合には、室内親機にて機能設定が予め行われていたか否かに拘わらず、制御機からの情報に強制的に書き換えられる。例えば、ある居室のみ特別な設定が必要である場合であっても、制御機にて一括設定が行われた場合には、その都度、当該居室親機まで赴いて再設定せねばならなかった。
【０００８】
本発明は、この難点を解消するためになされたもので、居室親機に必要とされる各種設定として、制御機による設定モードの相違をもとに、居室親機にて設定された情報および制御機にて設定された情報のうち何れか一方の情報を選択して記憶させることにより、再設定が不要となり利便性が高められた集合住宅インターホンシステムを提供することを目的としている。
【課題を解決するための手段】
【０００９】
前述の目的を達成するため、本発明の第１の態様である集合住宅インターホンシステムは、集合住宅のエントランスに設置される集合玄関機と、集合住宅の各住戸内にそれぞれ設置され集合玄関機から呼び出されて通話を成立させるための居室親機と、集合玄関機および居室親機をそれぞれ制御するための制御機とを設けたものである。居室親機は、集合玄関機からの呼び出しを表示するための表示手段と、集合玄関機との間で通話を成立させるための通話音声を入出力する通話手段と、通話手段にて入出力される通話音声を録音する録音機能の使用／未使用の切り替え、表示手段に表示させる日本語／英語の切り替え等の各種設定を行うための居室設定手段と、居室設定手段にて設定された第１の居室情報を記憶するための記憶手段とを備えたものである。制御機は、居室親機の各種設定を行うための制御機設定手段を備えたものである。居室親機は、第１の居室情報が記憶手段に予め記憶されているか否かを判断し、第１の居室情報が記憶手段に予め記憶されている場合に制御機の制御機設定手段にて設定された第２の居室情報を無効として記憶せず、第１の居室情報が記憶手段に予め記憶されていない場合に制御機の制御機設定手段にて設定された第２の居室情報を記憶手段に記憶するための居室制御手段を有したものである。
【００１０】
また、本発明の第２の態様である集合住宅インターホンシステムは、本発明の第１の態様において、制御機は、第１の居室情報が記憶手段に予め記憶されているか否かに拘わらず、第２の居室情報を記憶手段に強制的に記憶させるための制御機強制設定手段を有したものである。居室親機は、制御機制御手段により送信されてくる第２の居室情報を受信したときには、記憶手段の記憶内容を受信された第２の居室情報に強制的に書き換えるための居室強制制御手段を有したものである。
【００１１】
また、本発明の第３の態様である集合住宅インターホンシステムは、本発明の第２の態様において、居室制御手段は、制御機強制設定手段により送信されてくる第２の居室情報が記憶手段に予め記憶されているか否かに拘わらず、記憶手段の記憶内容を居室設定手段にて設定された第１の居室情報に書き換えるものである。
【００１２】
また、本発明の第４の態様である集合住宅インターホンシステムは、本発明の第１乃至第３の態様において、制御機は、記憶手段に第２の居室情報を記憶させる居室親機を選択するための選択手段に接続可能である。
【発明の効果】
【００１３】
本発明の集合住宅インターホンシステムによれば、居室親機の通話手段にて入出力される通話音声を録音する録音機能の使用／未使用の切り替え、表示手段に表示させる日本語／英語の切り替え等の各種設定である第１の居室情報が、居室設定手段により設定され記憶手段に予め記憶されている場合、制御機の制御機設定手段による各種設定であり、選択手段により選択された第２の居室情報を無効として、記憶手段への第１の居室情報の記憶が保持されるため、記憶手段の記憶内容は第２の居室情報に書き換えられることはなく、再設定が不要となり設定忘れの発生も防止することができ、利便性が高められる。一方、第１の居室情報が記憶手段に予め記憶されていない場合には、制御機の制御機設定手段による各種設定であり、選択手段により選択された第２の居室情報を有効として、記憶部に記憶させることができる。
【００１４】
また、本発明の集合住宅インターホンシステムによれば、居室親機の通話手段にて入出力される通話音声を録音する録音機能の使用／未使用の切り替え、表示手段に表示させる日本語／英語の切り替え等の各種設定である第１の居室情報が、居室設定手段により設定され記憶手段に予め記憶されているか否かに拘わらず、制御機の制御機強制設定手段による各種設定であり、選択手段により選択された第２の居室情報を有効として、記憶部に記憶させることができる。
【００１５】
また、本発明の集合住宅インターホンシステムによれば、制御機の制御機強制設定手段による各種設定であり、選択手段により選択された第２の居室情報が居室親機の記憶手段に記憶されているか否かに拘わらず、記憶手段の記憶内容を、居室強制設定手段による各種設定である第１の居室情報に書き換えることができる。
【００１６】
さらに、本発明の集合住宅インターホンシステムによれば、制御機に接続可能な選択手段を使用して、記憶手段に第２の居室情報を記憶させる居室親機を選択することにより、多様な設定変更を容易に行うことができる。
【発明を実施するための最良の形態】
【００１７】
以下、本発明の集合住宅インターホンシステムを適用した最良の実施の形態例について、図面を参照して説明する。
【００１８】
図１は、本発明の実施例による集合住宅インターホンシステムの全体構成を示すシステム説明図である。
【００１９】
図１に示す集合住宅インターホンシステムには、マンション等の集合住宅のエントランスに設置される集合玄関機１と、集合住宅の各住戸内にそれぞれ設置される（複数の）居室親機２ａ、２ｂ、・・・と、集合住宅の管理室内に設置される管理室親機３と、玄関ラインＬ1を経由して接続された集合玄関機１、居室ラインＬ2を経由して接続（バス接続）された（複数の）居室親機２ａ、２ｂ、・・・、管理室ラインＬ3を経由して接続された管理室親機３をそれぞれ制御するとともに、外部ラインＬ4を経由して接続される外部機器、ここでは、コンピュータ４との間で通信を行うことができる制御機５とが設けられている。
【００２０】
なお、制御機５と（複数の）居室親機２ａ、２ｂ、・・・との間の接続は、居室ラインＬ2を経由する接続（バス接続）の態様に限定されるものではなく、この居室ラインＬ2上に住戸アダプタ（図示せず。）を設ける態様も好適とされる。また、住戸アダプタとは、制御機５と（複数の）居室親機２ａ、２ｂ、・・・との間の信号伝送路および通話路をそれぞれ形成するためのものであり、通常、居室親機２ａ、２ｂ、・・・により制御される。
【００２１】
集合玄関機１には、操作部（以下、玄関操作部という。）１００、モニタ（以下、玄関モニタという。）１０１、カメラ１０２、マイク（以下、玄関マイクという。）１０３、スピーカ（以下、玄関スピーカという。）１０４が備えられている。
【００２２】
この集合玄関機１において、玄関操作部１００は、集合住宅のエントランスに居る人物、例えば、来訪者が、集合住宅の各住戸のうち特定の住戸内に在室中の居住者を呼び出す、または管理室内に在室中の管理人を呼び出すために所定の呼出操作を行うものである。この玄関操作部１００としては、例えば、テンキーボタン、呼出ボタン、タッチパネル等が好適とされる。
【００２３】
玄関モニタ１０１は、玄関操作部１００にて行われた操作情報等を表示するための表示手段を構成している。この玄関モニタ１０１としては、例えば、ＬＣＤ（Liquid Crystal Display）、有機ＥＬ（Electro Luminescence）ディスプレイ等の各種のディスプレイが好適とされる。
【００２４】
カメラ１０２は、呼出操作を行った来訪者の映像やエントランスの周囲近傍の映像を撮像するための撮像手段（映像撮像手段）を構成している。このカメラ１０２としては、例えば、ＣＣＤ（Charge Coupled Devices）、ＣＭＯＳ（Complementary Metal Oxide Semiconductor）等の各種の撮像素子が好適とされる。
【００２５】
玄関マイク１０３および玄関スピーカ１０４は、来訪者が呼出先である居住者または管理人との間で通話を成立させるにあたり、通話音声を入出力（送受信）するための通話手段を構成している。
【００２６】
また、（複数の）居室親機２ａ、２ｂ、・・・はそれぞれ同様な構成であり個別の居室ＩＤを有している。この居室親機２ａ、２ｂ、・・・は、スピーカ（以下、居室スピーカという。）２００、マイク（以下、居室マイクという。）２０１、モニタ（以下、居室モニタという。）２０２、操作部（以下、居室操作部という。）２０３が備えられている。
【００２７】
この居室親機２ａ、２ｂ、・・・において、居室スピーカ２００は、来訪者からの呼び出し、または管理人からの呼び出し（一斉呼び出しを含む。）がある旨の呼出音や音声メッセージ等を放音するための呼出報知手段とともに、居住者が呼出元である来訪者または管理人、或いは呼出先である管理人との間で通話を成立させるにあたり、通話音声を出力（受信）するための通話手段を構成している。
【００２８】
居室マイク２０１は、前述の居室スピーカ２００とともに通話手段を構成しており、居住者が呼出元である来訪者または管理人、或いは呼出先である管理人との間で通話を成立させるにあたり、通話音声を入力（送信）するためのものである。
【００２９】
居室モニタ２０２は、来訪者または管理人からの呼び出し（一斉呼び出しを含む。）がある旨の文字（呼出）メッセージや絵データ等、集合玄関機１のカメラ１０２にて撮像された映像を表示するとともに、後述する居室操作部２０３にて行われる操作情報等を表示するための表示手段を構成している。この居室モニタ２０３としては、例えば、ＬＣＤ、有機ＥＬディスプレイ等の各種のディスプレイが好適とされる。
【００３０】
居室操作部２０３は、来訪者または管理人からの呼び出し（一斉呼び出しを含む。）を確認した居住者が所定の応答操作を行うとともに、管理人を呼び出すための所定の呼出操作を行うための操作手段と、前述の居室マイク２０１および居室スピーカ２００にて入出力（送受信）される通話音声を録音する録音機能の使用／未使用の切り替え、前述の居室モニタ２０２に表示させる日本語／英語の切り替え等の各種設定（以下、第１の居室情報の設定という。）を行うための居室設定手段とを構成している。この居室操作部２０３としては、例えば、通話ボタン、ＤＩＰ（Dual In-line Package Switch）スイッチ、タッチパネル等が好適とされる。
【００３１】
また、管理室親機３には、スピーカ（以下、管理室スピーカという。）３００、マイク（以下、管理室マイクという。）３０１、送受話器３０２、モニタ（以下、管理室モニタという。）３０３、操作部（以下、管理室操作部という。）３０４が備えられている。
【００３２】
この管理室親機３において、管理室スピーカ３００は、来訪者または居住者からの呼び出しがある旨の呼出音や音声メッセージ等を放音するための呼出報知手段とともに、管理人が呼出元である来訪者または居住者、或いは呼出先である居住者との間で通話を成立させるにあたり、通話音声を出力（受信）するための通話手段を構成している。
【００３３】
管理室マイク３０１は、前述の管理室スピーカ３００とともに通話手段を構成しており、管理人が呼出元である来訪者または居住者、或いは呼出先である居住者との間で通話を成立させるにあたり、通話音声を入力（送信）するためのものである。
【００３４】
送受話器３０２は、前述の管理室スピーカ３００、管理室マイク３０１とともに通話手段を構成しており、管理人が呼出元である来訪者または居住者、或いは呼出先である居住者との間で通話を成立させるにあたり、通話音声を入出力（送受信）するためのものである。
【００３５】
管理室モニタ３０３は、来訪者または居住者からの呼び出しがある旨の文字（呼出）メッセージや絵データ等、集合玄関機１のカメラ１０２にて撮像された映像を表示するとともに、後述する管理室操作部３０４にて行われる操作情報等を表示するための表示手段を構成している。この管理室モニタ３０３としては、例えば、ＬＣＤ、有機ＥＬディスプレイ等の各種のディスプレイが好適とされる。
【００３６】
管理室操作部３０４は、来訪者または居住者からの呼び出しを確認した管理人が所定の応答操作を行うとともに、特定の居住者を呼び出すための所定の呼出操作、或いは一斉放送を行うための操作手段を構成している。この管理室操作部３０４としては、例えば、通話ボタン、呼出ボタン（一斉呼出ボタン）、タッチパネル等が好適とされる。
【００３７】
なお、管理室親機３に備えられる通話手段としては、前述の管理室スピーカ３００、管理室マイク３０１および送受話器３０２の３つの通話部を適用しているが、この態様に限定されるものではない。例えば、管理室スピーカ３００および管理室マイク３０１の態様、管理室スピーカ３００および送受話器３０２の態様のうち何れか一方の態様のみを適用することができる。
【００３８】
さらに、（外部機器である）コンピュータ４は、（複数の）居室親機２ａ、２ｂ、・・・の居室マイク２０１および居室スピーカ２００にて入出力（送受信）される通話音声を録音する録音機能の使用／未使用の切り替え、居室モニタ２０２に表示させる日本語／英語の切り替え等の各種設定を行うとともに、この各種設定を記憶させる当該居室親機を選択するための選択手段を構成している。
【００３９】
なお、外部機器は、コンピュータ４に限定されるものではなく、例えば、外部ラインＬ4として一般公衆回線等の外部ネットワークを経由して接続可能な施工業者、警備会社等のサーバも好適とされる。
【００４０】
図２は、本発明の実施例による集合住宅インターホンシステムにおいて、（複数の）居室親機２ａ、２ｂ、・・・の具体的な構成を示すブロック図である。
【００４１】
図２に示す（複数の）居室親機２ａ、２ｂ、・・・はそれぞれ同様な構成であり、前述の居室スピーカ２００、居室マイク２０１、居室モニタ２０２および居室操作部２０３と、通話回路２０４と、復調回路２０５と、メモリ（以下、居室メモリという。）２０６と、制御回路（以下、居室制御回路という。）２０７と、信号送受信回路（以下、居室Ｉ／Ｆという。）２０８とが備えられている。
【００４２】
この居室親機２ａ、２ｂ、・・・において、通話回路２０４は、前述の子機スピーカ２００、子機マイク２０１とともに通話手段を構成しており、子機マイク２０１に入力（送信）された通話音声であり信号処理された音声信号を４線／２線変換や増幅等を行うとともに、子機スピーカ２００から出力（受信）される通話音声であり信号処理された音声信号を２線／４線変換や増幅等を行うためのものである。
【００４３】
復調回路２０５は、前述の居室モニタ２０２とともに表示手段を構成しており、集合玄関機１から伝送されてくるＦＭ（Frequency Modulation）変調された映像信号を復調するためのものである。
【００４４】
居室メモリ２０６は、前述の居室操作部２０３にて設定された第１の居室情報または後術する制御機５にて設定された居室情報を記憶するための記憶手段を構成している（図１を参照。）。この居室メモリ２０６としては、例えば、ＲＡＭ（Random Access Memory）、ＥＥＰＲＯＭ（Electrically Erasable Programmable Read-Only Memory）等の各種の記憶媒体が好適とされる。
【００４５】
居室制御回路２０７は、当該居室親機の構成各部／回路をそれぞれ制御するためのものである。また、居室制御回路２０７は、前述の居室メモリ２０６の記憶内容を、制御機５にて設定される居室情報に強制的に書き換える居室強制制御手段を構成している。
【００４６】
居室Ｉ／Ｆ２０８は、居室ラインＬ2および通話回路２０４の間の通話路、居室ラインＬ2から復調回路２０５への信号伝送路、居室ラインＬ2および居室制御回路２０７の間の信号伝送路をそれぞれ形成するためのものである。
【００４７】
図３は、本発明の実施例による集合住宅インターホンシステムにおいて、制御機５の具体的な構成を示すブロック図である。
【００４８】
図３に示す制御機５には、操作部（以下、制御機操作部という。）５００と、メモリ（以下、制御機メモリという。）５０１と、制御回路（以下、制御機制御回路という。）５０２と、通話路形成回路５０３と、４つの信号送受信回路（以下、それぞれ玄関側制御機Ｉ／Ｆ、居室側制御機Ｉ／Ｆ、管理室側制御機Ｉ／Ｆ、外部側制御機Ｉ／Ｆという。）５０４、５０５、５０６、５０７とが備えられている。
【００４９】
この制御機５において、制御機操作部５００は、複数の居室親機２ａ、２ｂ、・・・の居室マイク２０１および居室スピーカ２００にて入出力（送受信）される通話音声を録音する録音機能の使用／未使用の切り替え、前述の居室モニタ２０２に表示させる日本語／英語の切り替え等の各種設定（以下、第２の居室情報の設定という。）を行うための制御機設定手段と、第１の居室情報が前述の（複数の）居室親機２ａ、２ｂ、・・・の居室メモリ２０６に予め記憶されているか否かに拘わらず、第２の居室情報を居室メモリ２０６に強制的に記憶させるための制御機強制設定手段を構成している（図１を参照。）。この制御機操作部５００としては、例えば、ＤＩＰスイッチが好適とされる。
【００５０】
制御機メモリ５０１は、制御機操作部５００またはコンピュータ４にて設定された第２の居室情報を記憶するためのものである。この制御機メモリ５０１としては、例えば、ＲＡＭ、ＥＥＰＲＯＭ等の各種の記憶媒体が好適とされる。
【００５１】
制御機制御回路５０２は、当該制御機の構成各部／回路をそれぞれ制御するとともに、当該システム全体を制御するためのものである。また、制御機制御回路５０２は、第１の居室情報が前述の居室メモリ２０６に予め記憶されているか否かに拘わらず、第２の居室情報を居室メモリ２０６に強制的に記憶させるための制御機強制制御手段を構成している。
【００５２】
通話路形成回路５０３は、玄関側制御機Ｉ／Ｆ５０４および居室側制御機Ｉ／Ｆ５０５の間の通話路、玄関側制御機Ｉ／Ｆ５０４および管理室側制御機Ｉ／Ｆ５０６の間の通話路、居室側制御機Ｉ／Ｆ５０５および管理室側制御機Ｉ／Ｆ５０６の間の通話路をそれぞれ形成するためのものである。
【００５３】
玄関側制御機Ｉ／Ｆ５０４は、玄関ラインＬ1および制御機制御回路５０２の間の信号伝送路、玄関ラインＬ1および通話路形成回路５０３の間の通話路をそれぞれ形成するためのものである。
【００５４】
居室側制御機Ｉ／Ｆ５０５は、居室ラインＬ2および制御機制御回路５０２の間の信号伝送路、居室ラインＬ2および通話路形成回路５０３の間の通話路をそれぞれ形成するためのものである。
【００５５】
管理室側制御機Ｉ／Ｆ５０６は、管理室ラインＬ3および制御機制御回路５０２の間の信号伝送路、管理室ラインＬ3および通話路形成回路５０３の間の通話路をそれぞれ形成するためのものである。
【００５６】
外部側制御機Ｉ／Ｆ５０７は、外部ラインＬ4および制御機制御回路５０２の間の信号伝送路を形成するためのものである。
【００５７】
なお、制御機５において、通話路形成回路５０３が有する機能は、制御機制御回路５０２に備えることもできる。この態様によれば通話路形成回路５０３は不要となり回路構成が簡素化される。
【００５８】
このように構成された本発明の実施例による集合住宅インターホンシステムにおいて、以下、具体的な動作について、前述の図１乃至図３および図４のフローチャート図を参照して説明する。なお、図４は、本発明の実施例による集合住宅インターホンシステムにおいて、（複数の）居室親機２ａ、２ｂ、・・・の具体的な動作遷移（ステップＳＴ100〜ＳＴ107）を説明するためのフローチャート図である。
【００５９】
また、本発明の実施例による動作の説明を行うにあたり、集合住宅のエントランスに居る来訪者が特定の住戸内に在室中の居住者または管理室内に在室中の管理人を呼び出して通話を成立させる動作と、管理人が居住者を呼び出して通話を成立させる動作（一斉放送を含む。）と、居住者が管理人を呼び出して通話を成立させる動作とは、背景技術に記載した特許文献１の集合住宅用インターホンシステム等の集合住宅におけるインターホン技術において公知／周知であるため、説明は省略するものとする。
【００６０】
当該システムの施工時等において、例えば、施工業者は、図１に示す（複数の）居室親機２ａ、２ｂ、・・・の居室マイク２０１および居室スピーカ２００にて入出力（送受信）される通話音声を録音する録音機能の使用／未使用の切り替え、居室モニタ２０２に表示させる日本語／英語の切り替え等の各種設定を行う必要がある。そこで、施工業者は、制御機５の制御機操作部５００またはコンピュータ４によって、（複数の）居室親機２ａ、２ｂ、・・・の居室マイク２０１および居室スピーカ２００にて入出力（送受信）される通話音声を録音する録音機能の使用／未使用の切り替え、居室モニタ２０２に表示させる日本語／英語の切り替え等の各種設定、すなわち、第２の居室情報を設定することができる。この第２の居室情報は、図３に示す制御機５の制御機制御回路５０２の制御により、制御機メモリ５０１に記憶される。なお、制御機メモリ５０１から第２の居室情報を読み出すにあたり、この第２の居室情報が図２に示す居室メモリ２０６に記憶される当該居室親機の選択は、コンピュータ４にて行われる設定操作をもとに、外部ラインＬ4、外部側制御機Ｉ／Ｆ５０７を経由して伝送されてくる選択信号を検出した制御機制御回路５０２の制御により行われる。
【００６１】
以下、（複数の）居室親機２ａ、２ｂ、・・・のうち、居室親機２ａについて行われる各種設定の動作を説明する。
【００６２】
居室親機２ａの居室マイク２０１および居室スピーカ２００にて入出力（送受信）される通話音声を録音する録音機能の使用／未使用の切り替え、居室モニタ２０２に表示させる日本語／英語の切り替え等の各種設定を行う、すなわち、第１の居室情報を設定するにあたり、居室親機２ａが設置された住戸内に例えば、施工業者が在室している場合には、この施工業者が居室親機２ａの居室操作部２０３を使用して所定の通常設定操作（詳述せず。）を行う。また、居室親機２ａの居室制御回路２０７は、居室操作部２０３にて行われた設定操作による第１の居室情報を居室メモリ２０６に記憶させることができる（ＳＴ100、ＳＴ101、ＳＴ104、ＳＴ107）。
【００６３】
一方、施工業者が制御機５にて居室親機２ａの各種設定を行う、すなわち、制御機メモリ５０１に予め記憶された第２の居室情報を設定するにあたっては、制御機操作部５００を使用して所定の設定操作を行う。また、制御機５の制御機制御回路５０２は、制御機操作部５００にて行われた設定操作が通常の設定モードであるか強制の設定モードであるかの判別を行う。さらに、制御機制御回路５０２は、居室親機２ａの各種設定のために選択されている第２の居室情報を制御機メモリ５０１から読み出すとともに、読み出された第２の居室情報に、判別したモード情報および居室親機２ａに予め割り当てられている居室ＩＤを付加させた居室情報設定信号を生成する。この居室情報設定信号は、制御機制御回路５０２から居室側制御機Ｉ／Ｆ５０５、居室ラインＬ2、（複数の）居室親機２ａ、２ｂ、・・・の居室Ｉ／Ｆ２０８を経由して居室制御回路２０７にそれぞれ伝送される。
【００６４】
（複数の）居室親機２ａ、２ｂ、・・・の居室制御回路２０７は、それぞれ制御機５の制御機制御回路５０２から伝送されてきた居室情報設定信号に付加されている居室ＩＤと自居室親機に予め割り当てられている居室ＩＤとを照合し、当該居室ＩＤが一致した場合にのみ居室情報設定信号を有効であると判断する。ここでは、居室親機２ａの居室制御回路２０７のみ居室ＩＤが一致し、この居室制御回路２０７は、有効であると検出された居室情報通常信号が通常モードの居室情報であるのか強制モードの居室情報であるのかをモード情報をもとに判別する（ステップＳＴ100、ＳＴ101、ＳＴ102）。
【００６５】
最初に、居室親機２ａの居室制御回路２０７にて判別されたモード情報が通常モードであった場合（ステップＳＴ102）、これを検出した居室制御回路２０７は、前述の第１の居室情報が居室メモリ２０６に予め記憶されているか否かを判断する（ステップＳＴ103）。ここで、第１の居室情報が居室メモリ２０６に予め記憶されている場合には、制御機５の制御機制御回路５０２から伝送されてきた居室情報設定信号に付加されている第２の居室情報は無効として、居室メモリ２０６への第１の居室情報の記憶を保持するため、第２の居室情報に書き換えられることはなく、再設定が不要となり設定忘れの発生も防止することができ、利便性が高められる。一方、第１の居室情報が居室メモリ２０６に予め記憶されていない場合には、制御機５の制御機制御回路５０２から伝送されてきた居室情報設定信号に付加されている第２の居室情報を有効として、居室メモリ２０６に記憶させることができる（ステップＳＴ106、ＳＴ107）。
【００６６】
次に、居室親機２ａの居室制御回路２０７にて判別されたモード情報が強制モードであった場合（ステップＳＴ102）、これを検出した居室制御回路２０７は、前述の第１の居室情報が居室メモリ２０６に予め記憶されているか否かに拘わらず、制御機５の制御機制御回路５０２から伝送されてきた居室情報設定信号に付加されている第２の居室情報を有効として、居室メモリ２０６の記憶内容を第２の居室情報に強制的に書き換えることができる（ステップＳＴ105、ＳＴ107）。なお、強制的な書き換えを行うにあたり、第１の居室情報が居室メモリ２０６に予め記憶されていない場合には、第２の情報が新規な居室情報として記憶されることになる。
【００６７】
また、前述のような強制モードによる第２の居室情報が居室親機２ａの居室メモリ２０６に強制的に記憶されているか否かに拘わらず、居室親機２ａが設置された住戸内に在室している施工業者や居住者による居室操作部２０３を使用した所定の強制設定操作（詳述せず。）を検出した居室制御回路２０７は、居室メモリ２０６の記憶内容を、第１の居室情報に強制的に書き換えることができる。
【００６８】
なお、本発明の集合住宅インターホンシステムにおいては、特定の実施の形態をもって説明してきたが、この形態に限定されるものでなく、本発明の効果を奏する限り、これまで知られた如何なる構成の集合住宅インターホンシステムであっても採用できるということはいうまでもないことである。
【図面の簡単な説明】
【００６９】
【図１】本発明の実施例による集合住宅インターホンシステムの全体構成を示すシステム説明図。
【図２】本発明の実施例による集合住宅インターホンシステムにおいて、居室親機の具体的な構成を示すブロック図。
【図３】本発明の実施例による集合住宅インターホンシステムにおいて、制御機の具体的な構成を示すブロック図。
【図４】本発明の実施例による集合住宅インターホンシステムにおいて、居室親機の具体的な動作遷移を説明するためのフローチャート図。
【符号の説明】
【００７０】
１……集合玄関機
２ａ、２ｂ、・・・ ……（複数の）居室親機
２００……居室スピーカ（通話手段）
２０１……居室マイク（通話手段）
２０２……居室モニタ（モニタ、表示手段）
２０３……居室操作部（居室設定手段）
２０４……通話回路（通話手段）
２０５……復調回路（表示手段）
２０６……居室メモリ（記憶手段）
２０７……居室制御回路（居室制御手段、居室強制制御手段）
４……コンピュータ（選択手段）
５……制御機
５００……制御機操作部（制御機設定手段、制御機強制設定手段）
【図１】
2007202017.tif 000003
【図２】
2007202017.tif 000004
【図３】
2007202017.tif 000005
【図４】
2007202017.tif 000006